【手続補正書】
【提出日】平成16年9月30日(2004.9.30)
【手続補正１】
【補正対象書類名】特許請求の範囲
【補正対象項目名】全文
【補正方法】変更
【補正の内容】
【特許請求の範囲】
【請求項１】
携帯型マーキング器具において、
実質上平らな形状と約 5 ミリメートルより小さい厚さをもつ本体と、
本体内に形成されそして本体内にマーキング物質を受け入れるよう形作られた内面をもつ第１チャンバと、
マーキング中に所望の表面にマーキング物質を放出するよう形作られた第１のマーキングデバイスとを含み、第１マーキングデバイスは本体と合体されかつ上記内面によって含まれたマーキング物質を受け入れるために第１チャンバと連通しており、第１マーキングデバイスの遠位部分は所望の表面上にマーキングするために露出することができ,更に
第１チャンバと流体連通する少なくとも１つの通気口を含み、この通気口は第１チャンバと周囲空気の間の圧力を少なくとも均等化すること、
を含むことを特徴とする携帯型マーキング器具。
【請求項２】
マーキング物質は、着色したインキ、着色していないインキ、ゲルインキ、及び液体及び固体のグラファイトからなるグループから選択さることを特徴とする請求項１に記載の器具。
【請求項３】
本体は実質上方形をなすことを特徴とする請求項１に記載の器具。
【請求項４】
第１マーキングデバイスは方形の本体のかど部に近接して置かれることを特徴とする請求項３に記載の器具。
【請求項５】
本体は約 86 ミリメートルの長さと、約 54 ミリメートルの幅と、約 0.76 ミリメートルの厚さをもつことを特徴とする請求項３に記載の器具。
【請求項６】
本体は1ミリメートルより小さい厚さをもつことを特徴とする請求項１に記載の器具。
【請求項７】
本体の実質的に平らな形状は方形、正方形、円形、楕円形、多角形及びテーマベースの形状からなるグループから選択されることを特徴とする請求項１に記載の器具。
【請求項８】
第１チャンバはマーキング物質を受け入れるよう形作られた少なくとも１つの多孔質材料を含むことを特徴とする請求項１に記載の器具。
【請求項９】
多孔質材料は約 7 ミクロンと約 150 ミクロンの間の平均孔寸法をもつことを特徴とする請求項８に記載の器具。
【請求項１０】
上記内面はマーキング物質を含むよう形作られた少なくとも１つのポーチを含むことを特徴とする請求項１に記載の器具。
【請求項１１】
第１チャンバはマーキング物質を第１マーキングデバイス内に差し向けるよう形作られた少なくとも１つの毛管構造を含むことを特徴とする請求項１に記載の器具。
【請求項１２】
毛管構造は第１チャンバの上壁と底壁間に延びる離間したコラム状支持体のパターンを含み、上記パターンは第１マーキングデバイスに向かう方向で次第に減少していくコラム状支持体の間隔を提供することを特徴とする請求項１１に記載の器具。
【請求項１３】
第１チャンバはマーキング物質中に浸されかつ第１チャンバを支持するよう形作られた複数のミクロ構造を含むことを特徴とする請求項１に記載の器具。
【請求項１４】
第１チャンバは内面に近接した材料層を含み、この材料層はマーキング物質を少なくとも空気及び水分が透過しないよう保護するよう形作られていることを特徴とする請求項１に記載の器具。
【請求項１５】
マーキング物質を第１チャンバから第１マーキングデバイスへ差し向けるよう形作られた通路を更に含むことを特徴とする請求項１に記載の器具。
【請求項１６】
マーキングデバイスはボールポイント機構を含み、上記通路がボールポイント機構を第１チャンバと連結することを特徴とする請求項１５に記載の器具。
【請求項１７】
通気口は少なくとも１つの開口と、空気を透過するがマーキング物質を透過しない通気用物質を含むことを特徴とする請求項１に記載の器具。
【請求項１８】
通気口はマーキング物質を第１チャンバ内に充填するよう形作られることを特徴とする請求項１に記載の器具。
【請求項１９】
第１チャンバは第１チャンバと本体の変形に耐えるよう形作られた少なくとも１つの支持構造を含むことを特徴とする請求項１に記載の器具。
【請求項２０】
少なくとも１つの追加のチャンバと、少なくとも１つの追加のマーキングデバイスを更に含み、各追加のチャンバは本体内にマーキング物質を受け入れるよう形作られ、各追加のマーキングデバイスは１つの追加のチャンバと連通していることを特徴とする請求項１に記載の器具。
【請求項２１】
少なくとも１つの追加のチャンバと少なくとも１つの追加のマーキングデバイスを更に含み、各追加のチャンバは第１チャンバ中に含まれたマーキング物質とは異なっているマーキング物質を受け入れるよう形作られ、各追加のマーキングデバイスは１つの追加のチャンバと連通していることを特徴とする請求項１に記載の器具。
【請求項２２】
引っ込み位置と露出位置の間でてマーキングデバイスを動かすために第１のマーキングデバイスに作用するよう形作られた引っ込め機構を更に含むことを特徴とする請求項１に記載の器具。
【請求項２３】
引っ込め機構がユーザーによって回すために本体の表面に露出したスピンドルを含み、上記スピンドルはユーザーによって回したときに第１のマーキングデバイスを前進させ又は引っ込めるよう形作られていることを特徴とする請求項２２に記載の器具。
【請求項２４】
露出した位置と引っ込み位置の間でマーキングデバイスを動かすために第１マーキングデバイスに作用するよう形作られた引っ込め装置と、不作用位置で第１のマーキングデバイスを覆うよう形作られたキャップ付け機構を更に含むことを特徴とする請求項１に記載の器具。
【請求項２５】
マーキング器具を物体に取り付けるよう形作られたアタッチメント装置を更に含むことを特徴とする請求項１に記載の器具。
【請求項２６】
本体はプラスチック、ゴム、金属及び木材からなるグループから選択された材料をからなることを特徴とする請求項２５に記載の器具。
【請求項２７】
本体は射出成形によって形成されることを特徴とする請求項１に記載の器具。
【請求項２８】
本体は材料層の積層によって形成されることを特徴とする請求項１に記載の器具。
【請求項２９】
指示デバイス、ミラー、拡大レンズ、計算機、マイクロチップ及び磁気ストリップの内の少なくとも１つを更に含むことを特徴とする請求項１に記載の器具。
【請求項３０】
本体はキイチェーン、衣服、移動電話機、電子データデバイス、ミニコンピュータ、カメラ、計算機、キイチェーントランスミッター及び時計のうちの少なくとも１つに取り付けるために寸法決めされかつ形成されることを特徴とする請求項１に記載の器具。
【請求項３１】
第１マーキングデバイスはボールポイント機構を含むことを特徴とする請求項１に記載の器具。
【請求項３２】
ボールポイント機構はマーキング物質を第１チャンバに充填するよう形作られることを特徴とする請求項３１に記載の器具。
【請求項３３】
第１マーキングデバイスは多孔質インサートを含むことを特徴とする請求項１に記載の器具。
【請求項３４】
本体の周辺を覆って第１マーキングデバイスを開いたままにしておくアタッチメントを更に含むことを特徴とする請求項１に記載の器具。
【請求項３５】
本体は改良された人間工学に適合するよう指の少なくとも一部を受け入れるように寸法決めされた少なくとも１つの窪みを含むことを特徴とする請求項１に記載の器具。
【請求項３６】
本体はコイン形状であり、第１マーキングデバイスはコイン形状の本体の縁で露出可能であることを特徴とする請求項１に記載の器具。
【請求項３７】
第１マーキングデバイスのほぼ反対側にあるコイン形状の本体の縁に置かれた指示デバイスを更に含むことを特徴とする請求項３６に記載の器具。
【請求項３８】
コイン形状の本体に、第１マーキングデバイスを露出させる活動位置と第１マーキングデバイスを覆う非活動位置の間で動かすために回転可能に取り付けられたキャップ付け機構を更に含むことを特徴とする請求項３６又は３７に記載の器具。
【請求項３９】
使用しないときに第１マーキングデバイスを覆うよう形作られたキャップ付け機構を更に含むことを特徴とする請求項１に記載の器具。
【請求項４０】
キャップ付け機構はマーキング器具から除去可能であることを特徴とする請求項３９に記載の器具。
【請求項４１】
キャップ付け機構は少なくとも本体の一部を受け入れる寸法をもつスリーブであることを特徴とする請求項４０に記載の器具。
【請求項４２】
キャップ付け機構は本体に定着されることを特徴とする請求項３９に記載の器具。
【請求項４３】
キャップ付け機構は第１マーキングデバイスに近接して本体に枢着されることを特徴とする請求項３９に記載の器具。
【請求項４４】
キャップ付け機構は、第１マーキングデバイスが覆われる位置と第１マーキングデバイスが露出する位置の間を本体の周囲に沿って摺動可能であることを特徴とする請求項３９に記載の器具。
【請求項４５】
携帯型マーキング器具を製造する方法において、
第１の予定厚さをもつ第１の平らなハウジング部分を準備し、
第１ハウジング部分内に第１チャンバを形成し、
実質上方形のハウジングを形成するために、第１チャンバと第１の平らなハウジング部分を第２の平らなハウジング部分で覆い、ハウジング内の第１チャンバはマーキング物質を受け入れるよう形作られ、更に
第１のマーキングデバイスを第１チャンバと連通させて置くために実質上方形のハウジングのかど部の場所に第１のマーキングデバイスを嵌着させ、更に
第１チャンバと周囲空気の間の圧力を等しくするために、第１チャンバと実質上方形のハウジングのかど部の場所とはほぼ反対の側との間に通気口を備えること、
を含むことを特徴とする方法。
【請求項４６】
頂部層をハウジングに積層させることを更に含むことを特徴とする請求項４５に記載の方法。
【請求項４７】
マーキング物質を第１チャンバに充填することを更に含むことを特徴とする請求項４５に記載の方法。
【請求項４８】
マーキング物質を第１マーキングデバイスに差し向けるようハウジングに遠心力を作用させることを更に含むことを特徴とする請求項４７に記載の方法。
【請求項４９】
第１と第２の平らなハウジング部分のうちの少なくとも一方が射出成形によって形成されることを特徴とする請求項４５に記載の方法。